(57)【要約】【課題】  住宅の軒先の改修時に既設の竪樋と簡単に接続することができる竪樋継手を提供することを目的とする。【解決手段】  両端部に受け口１ａが形成された竪樋継手において、少なくとも一方の受け口１ａは外筒体１の内側に内筒体２を設けて同一規格の既設竪樋１Ｅが挿入される挿入間隙４が形成され、該挿入間隙４は外筒体１の内径寸法Ａが同一規格の既設竪樋のうち最も大きい方の竪樋１Ｅの外径寸法Ｃに設定され、内筒体２の外径寸法Ｂが最も小さい方の竪樋２Ｅの内径寸法Ｄに設定されている。【選択図】      図２  
2005133427.tif 000002
【特許請求の範囲】
【請求項１】
両端部に受け口が形成された竪樋継手において、少なくとも一方の受け口は外筒体の内側に内筒体を設けて同一規格の既設竪樋が挿入される挿入間隙が形成され、該挿入間隙は外筒体の内径寸法が同一規格の既設竪樋のうち最も大きい方の竪樋の外径寸法に設定され、内筒体の外径寸法が最も小さい方の竪樋の内径寸法に設定されていることを特徴とする竪樋継手。
【発明の詳細な説明】
【技術分野】
【０００１】
本発明は、竪樋の端部を相互に嵌合接続する竪樋継手に関する。
【背景技術】
【０００２】
従来の竪樋継手としては、外筒体に内側に内筒体を設けて、上下両端部における両者間に挿入間隙を形成してなるものが知られている。この竪樋継手においては上下両端部の挿入間隙にそれぞれ竪樋の端部が挿入嵌合されて、この両竪樋の端部が相互に接続されるものである。（例えば、特許文献１を参照。）。
【０００３】
このような従来の竪樋継手を使用して竪樋を接続するには、図７に示すように示すように、家屋の屋根部の軒樋ａに接続した竪樋ｂを建物の外壁面ｄに沿って垂下させ、上下の竪樋を竪樋継手ｃで接続し、地中に埋設された排水管ｅに接続する。この場合、竪樋ｂは建物の外壁面ｄに竪樋支持具ｆにより取付けられているが、竪樋継手の上下両端部に形成された挿入間隙に同一メーカーの同一規格の竪樋の端部がそれぞれ挿入嵌合され、上下の竪樋の端部が相互に接続されるものである。
【特許文献１】実開平４−４７０２８号公報（第７図）
【発明の開示】
【発明が解決しようとする課題】
【０００４】
ところで、住宅の軒先の改修時に既設の竪樋の一部を取り外して新品の竪樋と交換する等の補修を行うことがことがある。この場合、既設竪樋と同一規格のものを新品の竪樋として用意する必要があるが、既設竪樋と同一規格の竪樋や竪樋継手等の部材に在庫が無いことがある。そのため、既設竪樋と略同じ寸法の新規竪樋を用いて既設竪樋と接続することがある。
【０００５】
しかしながら、新規の竪樋や竪樋継手を用いて改修する場合、新規な竪樋が既設竪樋と外径寸法の規格に類似したものであっても、各メーカーごとに竪樋の外径寸法が異なっていることがあり、新規竪樋と竪樋継手を施工現場に持ち込んで、新規の竪樋継手の挿入間隙に既設の竪樋の端部を挿入嵌合しようとしても挿入ができず、既設の竪樋に新規の竪樋継手を接続することができなかった。
【０００６】
例えば、直径が６０ｍｍの円筒状の竪樋（通称：丸タテ樋６０）の場合、どのメーカーの竪樋も、外径寸法において２．０〜３．０ｍｍ程度の差異があり、竪樋継手の接続部の嵌合寸法を大きめの方に合わせて余裕を持たせると、竪樋の外径が小さい場合は、竪樋継手に竪樋を嵌合させてもがたついて外れ易く接続することができなかった。
【０００７】
本発明は、このような事情に鑑みて、住宅の軒先の改修時に既設の竪樋と簡単に接続することができる竪樋継手を提供することを目的としている。
【課題を解決するための手段】
【０００８】
このような目的を達成するために、請求項１に記載の発明に係わる竪樋継手（以下、「請求項１の竪樋継手」と記す）は、両端部に受け口が形成された竪樋継手において、少なくとも一方の受け口は外筒体の内側に内筒体を設けて同一規格の既設竪樋が挿入される挿入間隙が形成され、該挿入間隙は外筒体の内径寸法が同一規格の既設竪樋のうち最も大きい方の竪樋の外径寸法に設定され、内筒体の外径寸法が最も小さい方の竪樋の内径寸法に設定されていることを特徴とした。
【発明の効果】
【０００９】
本発明竪樋継手によれば、両端部に受け口が形成された竪樋継手において、少なくとも一方の受け口は外筒体の内側に内筒体を設けて同一規格の既設竪樋が挿入される挿入間隙が形成され、該挿入間隙は外筒体の内径寸法が同一規格の既設竪樋のうち最も大きい方の竪樋の外径寸法に設定され、内筒体の外径寸法が最も小さい方の竪樋の内径寸法に設定されているので、住宅の軒先の改修時に既設の竪樋が各メーカーごとに外径寸法が異なっていても簡単に接続することができる。
【発明を実施するための最良の形態】
【００１０】
次に、本発明の実施の形態の一例を、図１〜図６に基づいて説明する。  
【実施例１】
【００１１】
図１〜図２は、本発明竪樋継手の実施の形態における実施例１を説明する図である。  図において、図１は本発明の実施例１における竪樋継手を示す断面図、図２は本発明の実施例１における竪樋継手の使用状態を示し上下の竪樋の接続前の断面図である。
【００１２】
図１において、この竪樋継手Ａは、短管の上下の両端部に受け口１ａ、１ａが形成されたもので、外筒体１の内側に内筒体２を設けて、外筒体１と内筒体２とが相互に間隔を開けて結合部３で一体に結合され、両端部に上下の竪樋の端部を挿入する挿入間隙４、４を形成している。
【００１３】
この挿入間隙４は管軸方向に平行となっており、その間隙寸法は、図２に示したように、外筒体１の内径寸法Ａが同一規格の既設竪樋のうち最も大きい方の竪樋１Ｅの外径寸法Ｃに設定され、内筒体２の外径寸法Ｂが最も小さい方の竪樋２Ｅの内径寸法Ｄに設定されている。
【００１４】
ところで、既設の竪樋は各メーカーにおいて外径や肉厚の寸法にバラツキがあり、例えば、呼称６０ｍｍの竪樋では最も小さ方の竪樋２Ｅと最も大きい方の竪樋１Ｅとの外径寸法に±１．５ｍｍの範囲のバラツキがあり、大きい方の竪樋１Ｅの外径寸法Ｃは６２ｍｍで、小さい方の竪樋２Ｅの内径寸法Ｄは５７ｍｍである。従って、上下の竪樋１Ｅ、２Ｅが接続される竪樋継手Ａは、外筒体１の内径寸法Ａが最も大きい方の竪樋１Ｅの外径寸法６２ｍｍに合わせられており、内筒体２の内径寸法Ｂが最も小さい方の竪樋２Ｅの内径寸法５７ｍｍに合わせられている。
【００１５】
本実施例において、両側方から接続される上方の竪樋（既設の竪樋）としては、円筒状のものであって外径寸法が６２．０ｍｍで内径寸法が５９．８ｍｍの竪樋１Ｅを用いており、また、下方の竪樋（新規の竪樋）としては、外径寸法が６０．８ｍｍで内径寸法が５８．８ｍｍの竪樋２Ｅを用いた。
【００１６】
このような竪樋継手Ａは、図２に示すようにして竪樋が接続される。
先ず、改修時に取り替えようとする既設の竪樋や竪樋継手を軒先から取り外して、残された既設の上方の竪樋１Ｅの端部に接着剤を塗布して、新規の竪樋継手Ａを配設して竪樋継手Ａの受け口１ａの挿入間隙４に竪樋１Ｅの端部を挿入する。
【００１７】
続いて、既設の竪樋１Ｅに取付けられた竪樋継手Ａの下方に新規の竪樋２Ｅを配設して、竪樋継手Ａの下方側から竪樋継手Ａの受け口１ａの挿入間隙４に竪樋２Ｅの端部を挿入し接着剤を介して接続する。
【００１８】
このように、既設の竪樋１Ｅの寸法にバラツキがあり新規な竪樋２Ｅとがそれぞれ外径や肉厚の寸法が異なっていても、図２に示すように、竪樋継手Ａの挿入間隙４が広めに形成されているから、外径寸法にバラツキのある既設の竪樋１Ｅの端部を新規の竪樋継手Ａの挿入間隙４に簡単に挿入することでき、既設の竪樋１Ｅと新規の竪樋２Ｅとを簡単にかつ外観が見栄えよく接続することができる。
【実施例２】
【００１９】
図３〜図４は、本発明竪樋継手の実施の形態における実施例２を説明する図で、図３は本発明の実施例２における竪樋継手を示す断面図、図４は本発明の実施例２における竪樋継手の使用状態を示し上下の竪樋の接続前の断面図である。
【００２０】
図３において、この竪樋継手Ｂは、実施例２における竪樋継手Ｂの上下両端部の受け口１ｂ、２ｂのうち、下側の受け口２ｂは、下部外筒体１１を短くして、下部内筒体２１を長くし下部外筒体１１から突出させているだけであって、その他の構造は実施例１と同じであるので説明は省略する。
【００２１】
このような竪樋継手Ｂは、図４に示すようにして竪樋が接続される。
先ず、改修時に取り替えようとする既設の竪樋や竪樋継手を軒先から取り外して、残された既設の上方の竪樋１Ｅの端部に、新規の竪樋継手Ｂを配設して竪樋継手Ｂの挿入間隙４に竪樋１Ｅの端部を挿入する。
【００２２】
続いて、既設の竪樋１Ｅに取り付けられた竪樋継手Ｂの下方に新規の竪樋２Ｅを配設して、竪樋継手Ｂの下方側から竪樋継手Ｂの挿入間隙４に竪樋２Ｅの端部を挿入して接続する。
【００２３】
このように、既設の竪樋１Ｅの寸法にバラツキがあり新規な竪樋２Ｅとがそれぞれ外径や肉厚の寸法が異なっていても、図４に示すように、竪樋継手Ｂの挿入間隙４が広めに形成されているから、外径寸法にバラツキのある既設の竪樋１Ｅの端部を新規の竪樋継手Ｂの挿入間隙４に簡単に挿入することでき、既設の竪樋１Ｅと新規の竪樋２Ｅとを簡単にかつ外観が見栄えよく接続することができる。
【実施例３】
【００２４】
図５〜図６は、本発明竪樋継手の実施の形態における実施例３を説明する図で、図５は本発明の実施例３における竪樋継手を示す断面図、図６は本発明の実施例３における竪樋継手の使用状態を示し上下の竪樋の接続前の断面図である。
【００２５】
図５において、この竪樋継手Ｃは、実施例１において外筒体１と内筒体２との管軸方向の長さ逆転させたもので、実施例２のように下側下側の受け口２ｃの挿入間隙４ｃを新規竪樋２Ｅだけが挿入可能な寸法としただけであり、その他の構造は実施例１と同じであるので説明は省略する。
図５において、この竪樋継手Ｃは、実施例１において外筒体１と内筒体２との管軸方向の長さ逆転させたもので、竪樋継手Ｃの上下両端部の受け口１ｃ、２ｃは、外筒体１１を短くして、内筒体２１を長くし外筒体１１から突出させ、下側の受け口２ｃの挿入間隙４ｃを新規竪樋２Ｅだけが挿入可能な寸法としただけであり、その他の構造は実施例１と同じであるので説明は省略する。
【００２６】
このような竪樋継手Ｃは、図６に示すようにして竪樋が接続される。
先ず、改修時に取り替えようとする既設の竪樋や竪樋継手を軒先から取り外して、残された既設の上方の竪樋１Ｅの端部に、新規の竪樋継手Ｃを配設して竪樋継手Ｃの挿入間隙４に竪樋１Ｅの端部を挿入する。
【００２７】
続いて、既設の竪樋１Ｅに取り付けられた竪樋継手Ｃの下方に新規の竪樋２Ｅを配設して、竪樋継手Ｃの下方側から竪樋継手Ｃの挿入間隙４ｃに竪樋２Ｅの端部を挿入して接続する。
【００２８】
このように、既設の竪樋１Ｅの寸法にバラツキがあり新規な竪樋２Ｅとがそれぞれ外径や肉厚の寸法が異なっていても、図６に示すように、竪樋継手Ｃの一方の受け口１ｃの挿入間隙４が広めに形成されているから、外径寸法にバラツキのある既設の竪樋１Ｅの端部を新規の竪樋継手Ｃの一方の受け口１ｃの挿入間隙４に簡単に挿入することでき、既設の竪樋１Ｅと新規の竪樋２Ｅとを簡単にかつ外観が見栄えよく接続することができる。
【００２９】
以上、本発明の実施の形態を図面により詳述してきたが、具体的な形態はこの実施の形態に限られものではなく、本発明の要旨を逸脱しない範囲における設計の変更等があっても本発明に含まれる。
【図面の簡単な説明】
【００３０】
【図１】本発明の実施例１における竪樋継手Ａを示す断面図である。
【図２】本発明の実施例１における竪樋継手Ａの使用状態を示し上下の竪樋の接続前の断面図である。
【図３】本発明の実施例２における竪樋継手Ｂを示す断面図である。
【図４】本発明の実施例２における竪樋継手Ｂの使用状態を示し上下の竪樋の接続前の断面図である。
【図５】本発明の実施例３における竪樋継手Ｃを示す断面図である。
【図６】本発明の実施例３における竪樋継手Ｃの使用状態を示し上下の竪樋の接続前の断面図である。
【図７】従来例を説明するための概略説明図である。
【符号の説明】
【００３１】
Ａ、Ｂ、Ｃ      竪樋継手
１、１１        外筒体
２、２１        内筒体
３              結合部
１ａ、１ｂ、２ｂ、１ｃ、２ｃ    受け口
４、４ｃ        挿入間隙
【図１】
2005133427.tif 000003
【図２】
2005133427.tif 000004
【図３】
2005133427.tif 000005
【図４】
2005133427.tif 000006
【図５】
2005133427.tif 000007
【図６】
2005133427.tif 000008
【図７】
2005133427.tif 000009